(57)【要約】【目的】  光源を複数配置することを容易にするとともに光の低分散角化が図れるロッドインテグレータ及びこれを用いた照明装置及びこれを用いた投写型映像表示装置を提供する。【構成】  ロッドインテグレータ１２は、前記光入射面１２ａを有する光導入部材１２Ａと前記光出射面１２ｂを有する主ロッド部材１２Ｂとから成る。前記光導入部材１２Ａは前記光入射面１２ａとして二つの光入射面１２ａ，１２ａを有する。また、前記光導入部材１２Ａは、各光入射面１２ａに平行又は非平行な中間光出射面１２ｆを有する。前記主ロッド部材１２Ｂは、その側面に鋭角で交わる複数の光進入面１２ｃ，１２ｃを有する。前記中間光出射面１２ｆと前記光進入面１２ｃとの間には低屈折率領域Ｘが介在しており、各光進入面１２ｃは主ロッド部材１２Ｂ内に進入した光にとって全反射面として機能する。【選択図】        図２
2007101711.tif 000002
【特許請求の範囲】
【請求項１】
光入射面から入射された光を光インテグレートして光出射面から出射するロッドインテグレータであって、当該ロッドインテグレータは、前記光入射面を有する光導入部材と前記光出射面を有する主ロッド部材とから成り、前記光導入部材は、前記光入射面として複数の光入射面及び当該光入射面に平行又は非平行な中間光出射面を有することで多角形両凸形状を有しており、前記主ロッド部材は、各中間光出射面に平行又は略平行であって当該主ロッド部材の側面に鋭角で交わる複数の光進入面を有することで凹状部を有しており、前記主ロッド部材の屈折率よりも低い屈折率領域を介して前記中間光出射面と前記光進入面とが近接することで各光進入面は主ロッド部材内に進入した光にとって全反射面として機能することを特徴とするロッドインテグレータ。
【請求項２】
請求項１に記載のロッドインテグレータにおいて、前記光進入面から進入した光が到達する前記主ロッド部材の側面に、光反射領域を形成したことを特徴とするロッドインテグレータ。
【請求項３】
請求項１又は請求項２に記載のロッドインテグレータにおいて、前記光導入部材の各光入射面の側に、入射光に存在する分散角を低減しこの低分散角化した光を前記光導入部材に導く光学素子を備えたことを特徴とするロッドインテグレータ。
【請求項４】
請求項３に記載のロッドインテグレータにおいて、前記光学素子と前記光導入部材の光入射面との間には、当該光導入部材の屈折率よりも低い屈折率領域を存在させたことを特徴とするロッドインテグレータ。
【請求項５】
請求項３又は請求項４に記載のロッドインテグレータにおいて、前記光学素子としてロッドインテグレータを備えたことを特徴とするロッドインテグレータ。
【請求項６】
請求項３又は請求項４に記載のロッドインテグレータにおいて、前記光学素子として集光光学素子を備えたことを特徴とするロッドインテグレータ。
【請求項７】
請求項１乃至請求項６のいずれかに記載のロッドインテグレータにおいて、前記主ロッド部材は直方体形状又はテーパ形状又はこれらの組み合わせ形状を有することを特徴とするロッドインテグレータ。
【請求項８】
請求項１乃至請求項７のいずれかに記載のロッドインテグレータにおいて、前記主ロッド部材の光出射面の側に直方体形状又はテーパ形状の第２のロッドインテグレータを備えたことを特徴とするロッドインテグレータ。
【請求項９】
請求項１乃至請求項８のいずれかに記載のロッドインテグレータにおいて、前記主ロッド部材の光出射面に近接する箇所又は当該面から離れて光を受け取る箇所に、光の偏光方向を揃える手段を備えたことを特徴とするロッドインテグレータ。
【請求項１０】
請求項１乃至請求項９のいずれかに記載のロッドインテグレータにおいて、前記主ロッド部材は、その各光進入面と前記光導入部材の各光入射面とがその縁を近接させている箇所に前記光出射面と対面する反射領域を有していることを特徴とするロッドインテグレータ。
【請求項１１】
請求項１乃至請求項１０のいずれかに記載のロッドインテグレータと、このロッドインテグレータの光導入部材の各光入射面に光を与えるように配置された光源と、を備えたことを特徴とする照明装置。
【請求項１２】
請求項１１に記載の照明装置と、この照明装置からの光を受けて映像光を生成するライトバルブと、前記映像光を投写する投写手段と、を備えたことを特徴とする投写型映像表示装置。
【発明の詳細な説明】
【技術分野】
【０００１】
この発明は、ロッドインテグレータ及びこのロッドインテグレータを備えた照明装置及びこの照明装置を備えた投写型映像表示装置に関する。
【背景技術】
【０００２】
従来より、光源としてＬＥＤ（発光ダイオード）などの固体光源を用いることが試みられている（特許文献１参照）。また、前記光源から出射された光の照度分布を均一化するためにロッドインテグレータ（ロッド形状のインテグレータ）を利用することが行われている（特許文献２参照）。
【０００３】
図１０（ａ）（ｂ）（ｃ）はそれぞれ従来のロッドインテグレータを備えた照明装置を示している。図１０（ａ）に示す照明装置は光源１００とテーパ形状のロッドインテグレータ１０１とを有する。図１０（ｂ）に示す照明装置は二つの光源１００と直方体形状のロッドインテグレータ１０２とを有する。図１０（ｃ）に示す照明装置は二つの光源１００とロッドインテグレータ１０３とを有する。ロッドインテグレータ１０３は二つの光入射面を有することで光入射領域が多角形凸形状を成している。
【特許文献１】特開２０００−１１２０３１号公報
【特許文献２】特許第３４４８２２３号公報
【発明の開示】
【発明が解決しようとする課題】
【０００４】
図１０（ａ）に示す照明装置ではテーパ形状のロッドインテグレータ１０１を用いるので、光インテグレート効果に加えて光の低分散角化が図れるが、ロッドインテグレータ１０１の光入射面が小さいため、多くの光源を配置することができない。図１０（ｂ）に示す照明装置では直方体形状のロッドインテグレータ１０２を用いるため、光入射面が大きくなって多くの光源を配置することができるが、光の低分散角化を図ることはできず、光源を多く設ける割りにはその数に見合った光量アップは得られない。図１０（ｃ）に示す照明装置では更に光入射面を大きくできるが、光は高分散角で出射されてしまう。
【０００５】
この発明は、上記の事情に鑑み、光源を複数配置することを容易にするとともに各光源からの光利用効率を高めつつ光の低分散角化が図れるロッドインテグレータ及びこれを用いた照明装置及びこれを用いた投写型映像表示装置を提供することを目的とする。
【課題を解決するための手段】
【０００６】
この発明のロッドインテグレータは、上記課題を解決するために、光入射面から入射された光を光インテグレートして光出射面から出射するロッドインテグレータであって、当該ロッドインテグレータは、前記光入射面を有する光導入部材と前記光出射面を有する主ロッド部材とから成り、前記光導入部材は、前記光入射面として複数の光入射面及び当該光入射面に平行又は非平行な中間光出射面を有することで多角形両凸形状を有しており、前記主ロッド部材は、各中間光出射面に平行又は略平行であって当該主ロッド部材の側面に鋭角で交わる複数の光進入面を有することで凹状部を有しており、前記主ロッド部材の屈折率よりも低い屈折率領域を介して前記中間光出射面と前記光進入面とが近接することで各光進入面は主ロッド部材内に進入した光にとって全反射面として機能することを特徴とする。
【０００７】
上記の構成であれば、各光進入面は前記主ロッド部材の側面に鋭角で交わり、各光進入面は主ロッド部材内に進入した光にとって全反射面として機能することになる。すなわち、前記光進入面から進入して主ロッド部材の側面で反射した光は前記反射面として機能する前記光進入面によって主ロッド部材の主光軸の方向に近づけられるので、光の低分散角化が図られ易くなり、各光源からの光の利用効率も向上する。
【０００８】
上記構成のロッドインテグレータにおいて、前記光進入面から進入した光が到達する前記主ロッド部材の側面に、光反射領域を形成してもよい。前記光反射領域によって主ロッド部材の側面での反射効率が向上しうる。
【０００９】
これら構成のロッドインテグレータにおいて、前記光導入部材の各光入射面の側に、入射光に存在する分散角を低減しこの低分散角化した光を前記光導入部材に導く光学素子を備えていてもよい。前記光学素子と前記光導入部材の光入射面との間には、当該光導入部材の屈折率よりも低い屈折率領域を存在させてもよい。これにより、前記光導入部材における或る光入射面から入射した光にとって他の光入射面が全反射面として機能しうることになる。前記光学素子としてロッドインテグレータを備えていてもよい。また、前記光学素子として集光光学素子を備えていてもよい。
【００１０】
これら構成のロッドインテグレータにおいて、前記主ロッド部材は直方体形状又はテーパ形状又はこれらの組み合わせ形状を有していてもよい。
【００１１】
これら構成のロッドインテグレータにおいて、前記主ロッド部材の光出射面の側に直方体形状又はテーパ形状の第２のロッドインテグレータを備えていてもよい。第２のロッドインテグレータによって光インテグレート効果や分散角低減効果を向上しうる。
【００１２】
これら構成のロッドインテグレータにおいて、前記主ロッド部材の光出射面に近接する箇所又は当該面から離れて光を受け取る箇所に、光の偏光方向を揃える手段を備えていてもよい。
【００１３】
これら構成のロッドインテグレータにおいて、前記主ロッド部材は、その各光進入面と前記光導入部材の各光入射面とがその縁を近接させている箇所に前記光出射面と対面する反射領域を有していてもよい。
【００１４】
また、この発明の照明装置は、上述したいずれかに記載のロッドインテグレータと、このロッドインテグレータの光導入部材の各光入射面に光を与えるように配置された光源と、を備えたことを特徴とする。
【００１５】
また、この発明の投写型映像表示装置は、上記の照明装置と、この照明装置からの光を受けて映像光を生成するライトバルブと、前記映像光を投写する投写手段と、を備えたことを特徴とする。
【発明の効果】
【００１６】
この発明によれば、光源を複数配置することを容易にするとともに各光源からの光利用効率を高めつつ光の低分散角化が図れるという効果を奏する。
【発明を実施するための最良の形態】
【００１７】
以下、この発明の実施形態のロッドインテグレータ及び照明装置及び投写型映像表示装置を図１乃至図９に基づいて説明していく。
【００１８】
図１は投写型映像表示装置の光学系を示した図である。この投写型映像表示装置は３つの照明装置５１Ｒ，５１Ｇ，５１Ｂを備える。各照明装置５１は、複数のＬＥＤ（発光ダイオード）１１と、ロッドインテグレータ１２と、偏光変換装置１３と、略直方体形状のロッドインテグレータ（請求範囲でいうところの第２のロッドインテグレータであり、光入射面よりも光出射面を大としたテーパ形状を有していてもよい）１４と、を備えて成る。
【００１９】
ＬＥＤ１１は、ＬＥＤチップと半球ドーム形状を有する分散角制御素子とヒートシンク（放熱板）とから成る。照明装置５１ＲにおけるＬＥＤ１１は赤色光を出射し、照明装置５１ＧにおけるＬＥＤ１１は緑色光を出射し、照明装置５１ＢにおけるＬＥＤ１１は青色光を出射する（以下、特定の照明装置を示すこととしない場合には、単に符号”５１”を用いる場合がある）。
【００２０】
各照明装置５１はそれぞれ二つのＬＥＤ１１，１１を有する。各照明装置５１のロッドインテグレータ１２は各ＬＥＤ１１から出射された光に存在する輝度分布の不均一を均一化する（光インテグレート作用）とともに前記光に存在する分散角分布を低分散角な分布に変換する。ロッドインテグレータ１２の詳細については後で説明する。
【００２１】
偏光変換装置１３は、ロッドインテグレータ１２の光出射面に対面する位置にＶ字状に誘電体多層膜（偏光分離膜）を有する。このＶ字状の誘電体多層膜の一方の面で反射されたＳ偏光光はその隣の反射面（或いは誘電体多層膜）によって反射され、同様に、前記Ｖ字状の誘電体多層膜の他方の面で反射されたＳ偏光光はその隣の反射面（或いは誘電体多層膜）によって反射される。誘電体多層膜を透過したＰ偏光光は位相差板（１／２λ板）１３ａによってＳ偏光光に変換される。勿論、光をＰ偏光光に揃えることもできる。
【００２２】
略直方体形状のロッドインテグレータ１４も前記ＬＥＤ１１から出射される光に存在する輝度分布の不均一を均一化する作用（光インテグレート作用）を有する。ロッドインテグレータ１４は内面がミラー面の筒部材或いは透明部材（透明ガラス等）からなっており、内面で光を反射させることでロッドインテグレータ１４の光出射面において光の照度分布を均一化する。ロッドインテグレータ１４の光入射面及び光出射面は例えば方形状とされる。
【００２３】
各照明装置５１から出射された各色光が各色用の液晶表示パネル１Ｒ，１Ｇ，１Ｂを透過することによって各色映像光が生成される。そして、各色映像光はクロスダイクロイックプリズム２（クロスダイクロイックミラーでもよい）によって合成されてカラー映像光となる。このカラー映像光は投写レンズ３によって投写される。
【００２４】
図２はＬＥＤ１１及びロッドインテグレータ１２を拡大した拡大図である。各ＬＥＤ１１のヒートシンクはＬＥＤチップの背面に置かれており、このＬＥＤチップから出る熱を放熱する。ＬＥＤチップは半球ドーム形状を有する分散角制御素子（集光光学素子）の頂部（後端）に形成された凹部に設けられており、ＬＥＤチップから出射される光は分散角制御素子によって略平行光化（低分散角化）され、ロッドインテグレータ１２に向けて出射される。前記分散角制御素子は半球ドーム形状を有するものに限らない。前記分散角制御素子は無くてもよいし、或いは前記分散角制御素子に替えてレンズを備え、このレンズによって光を略平行光化するようにしてもよい。
【００２５】
ロッドインテグレータ１２は、前記ＬＥＤ１１から出射された光が入射される光入射面１２ａ及びロッド内で光インテグレートされた光を出射する光出射面１２ｂを有する。より具体的には、ロッドインテグレータ１２は、前記光入射面１２ａを有する光導入部材１２Ａと前記光出射面１２ｂを有する主ロッド部材１２Ｂとから成る。
【００２６】
前記光導入部材１２Ａは前記光入射面１２ａとして二つの光入射面１２ａ，１２ａを有する。また、前記光導入部材１２Ａは、各光入射面１２ａに平行又は非平行な中間光出射面１２ｆを有することで多角形両凸形状（側面視で略菱形）を有している。光入射面１２ａと前記分散角制御素子との対面箇所には低屈折率領域Ｙ（エアギャップ又は光導入部材１２Ａの屈折率よりも低い屈折率を有する透明材）が介在しており、各光入射面１２ａは光導入部材１２Ａ内に進入した光にとって全反射面として機能しうる。なお、十分に低分散角化された光を光入射面１２ａに入射すならば、低屈折率領域Ｙを設けない構成も採用しうる。
【００２７】
前記主ロッド部材１２Ｂは、各中間光出射面１２ｆに平行又は略平行であって当該主ロッド部材１２Ｂの側面に鋭角で交わる複数の光進入面１２ｃ，１２ｃを有する。この光進入面１２ｃ，１２ｃの形成箇所は凹形状となる。また、前記主ロッド部材１２Ｂは、光入射側よりも前記光出射面１２ｂの方が大であるテーパ形状を有している。
【００２８】
前記光導入部材１２Ａ及び前記主ロッド部材１２Ｂはガラス等の透明部材から成る。これら両部材１２Ａ，１２Ｂは、前記中間光出射面１２ｆと前記光進入面１２ｃとを近接させて配置される。前記中間光出射面１２ｆと前記光進入面１２ｃとの間には、低屈折率領域Ｘ（エアギャップ又は前記主ロッド部材１２Ｂの屈折率よりも低い低屈折率を有する透明材）が介在しており、各光進入面１２ｃは主ロッド部材１２Ｂ内に進入した光にとって全反射面として機能しうる。前記光進入面１２ｃの傾きは、例えば、ＬＥＤ１１の主光線軸上の光が前記主ロッド部材１２Ｂの側面で反射して前記光進入面１２ｃに全反射角で入射して主ロッド部材の光軸に平行に反射される傾きとするのが望ましい。
【００２９】
また、図から分かるように、前記中間光出射面１２ｆ（前記光進入面１２ｃ）は光入射面１２ａに非平行であってもよいが、対面するＬＥＤ１１から出射された光が中間光出射面１２ｆで全反射してしまわないような非平行度とする。
【００３０】
更に、前記光進入面１２ｃ，１２ｃから入射した光が到達する前記主ロッド部材１２Ｂの側面に、光反射領域１２ｄ，１２ｄを形成している。光反射領域１２ｄ，１２ｄはミラーコーティング、或いは、エアギャップを介してロッド側面に平行にミラーを備えることで形成される。なお、前記側面への光の入射角度が十分に大きくなる設計であれば（前記光が全反射される場合）、前記光反射領域１２ｄ，１２ｄを設けない構造とすることもできる。
【００３１】
このように、上記のロッドインテグレータ１２は、前記光導入部材１２Ａと前記主ロッド部材１２Ｂとからなり、前記光導入部材１２Ａには二つの光入射面１２ａ，１２ａが形成されていることで多光源構成を容易に実現できる。また、前記光進入面１２ｃ，１２ｃは主ロッド部材１２Ｂ内に進入した光にとって全反射面として機能しうるので、従来の図１０（ｃ）に示した構成に比べて光の低分散角化が図りやすい。また、ロッドインテグレータ１２の主ロッド部材１２Ｂがテーパ形状を有することで、更に低分散角化が図れる。更に、前記光出射面１２ｂに近接する箇所に偏光変換装置１３（光の偏光方向を揃える手段）を備えたので、ライトバルブとして液晶表示パネル１を備える構成において光利用効率が格段に向上する。更に、ロッドインテグレータ１４を備えたことで、より高い光インテグレート効果が得られる。
【００３２】
図３にこの発明の照明装置５１の他の構成例を示す。この照明装置５１は図２に示したロッドインテグレータ１２及びロッドインテグレータ１４に加えて二つのロッドインテグレータ１５（請求範囲でいうところの光学素子としてのロッドインテグレータ）を有する。各ロッドインテグレータ１５はその光出射面を前記光入射面１２ａに対面させている。この対面箇所には低屈折率領域Ｙ（エアギャップ又は光導入部材１２Ａの屈折率よりも低い屈折率を有する透明材）が介在している。各ロッドインテグレータ１５はその光出射面よりも光入射面が小であるテーパ形状を有しており、前記光入射面にＬＥＤ１１′を備える。ＬＥＤ１１′はＬＥＤ１１において分散角制御部材を備えない構成に相当する。ＬＥＤ１１′は分散角制御部材を備えないのでランバーシアン的な光がロッドインテグレータ１５に入射されるが、ロッドインテグレータ１５がテーパ形状を有することによって低分散角化される。なお、ロッドインテグレータ１５が略直方体形状を有する構成でもよく、この構成において、例えばＬＥＤ１１を用いる構成としてもよい。また、光出射面側が凸曲面形状を有する略直方体形状のロッドインテグレータを用いてもよい。
【００３３】
図４にこの発明の照明装置５１の他の構成例を示す。図３に示す照明装置５１との相違点は、偏光変換装置１６を備えている点と、主ロッド部材１２Ｂの光出射面（１２ｂ）がロッドインテグレータ１４の光入射面と同じ大きさとされている点である。偏光変換装置１６は、１／４λ板１６ａと反射型偏光板（ワイヤーグリッド型偏光ビームスプリッタ等）１６ｂを主ロッド部材１２Ｂの光出射面の側にこの順で配置して成るものである。前記１／４λ板１６ａを透過して反射型偏光板１６ｂに至る所定偏光光（例えば、Ｐ偏光光は）は、この反射型偏光板１６ｂを透過し、他の所定偏光（例えば、Ｓ偏光光は）は反射型偏光板１６ｂに反射し前記１／４λ板１６ａを透過する。そして、主ロッド部材１２Ｂ内で反射されて再び１／４λ板１６ａを透過すると前記所定偏光光となるので、前記反射型偏光板１６ｂを透過することができる。なお、ＬＥＤ１１′（図２の構成であればＬＥＤ１１）がチップ背面にミラーを有することとしてもよい。偏光変換装置１６を有する他の構成においても同様である。
【００３４】
また、主ロッド部材１２Ｂの光出射面１２ｂをロッドインテグレータ１４の光入射面と同じ大きさにできるので、そのテーパ角度を大きくすることができ、出射光をより低分散角化することができる。なお、偏光変換装置１６を用い主ロッド部材１２Ｂのテーパ角度を大きくする構成は図１の構成においても適用することができる。
【００３５】
図５にこの発明の照明装置５１の他の構成例を示す。図４に示す照明装置５１との相違点は、前記主ロッド部材１２Ｂにおいて、各光入射面１２ａ，１２ａと前記光進入面１２ｃ，１２ｃとがその縁を近接させている箇所に前記光出射面１２ｂと対面する平面形状の反射領域１２ｅ，１２ｅを有している点である。かかる構成であれば、平面形状の反射領域１２ｅ，１２ｅを有しない構成（前記平面形状の箇所が鋭角形状となる構成）で生じがちとなる前記鋭角形状部分からの光漏れを防止し、光を前記光入射面１２ｂ側へ戻す作用が得られることになり、光利用効率が向上する。前記反射領域１２ｅ，１２ｅは平面形状に限らず曲面形状であってもよいし、前記光入射面１２ｂに非平行な平面形状であってもよい。なお、前記反射領域１２ｅ，１２ｅを用いる構成は図１の構成においても適用することができる。
【００３６】
図６にこの発明の照明装置５１の他の構成例を示す。この図６に示す照明装置５１は、図５の照明装置５１において、偏光変換装置１６をロッドインテグレータ１４の光出射面の側に配置し、ロッドインテグレータ１４と主ロッド部材１２Ｂとを一体化したものに相当する。別言すれば、主ロッド部材１２Ｂはテーパ形状のロッド部と直方体形状のロッド部とから成り、この主ロッド部材１２Ｂの光出射面に偏光変換装置１６を配置したものとなる。このような構成は図１の構成においても適用することができる。
【００３７】
図７にこの発明の照明装置５１の他の構成例を示す。この図７に示す照明装置５１は、図６の照明装置５１において、主ロッド部材１２Ｂはテーパ形状のロッド部を有しないで直方体形状のロッド部のみから成り、この主ロッド部材１２Ｂの光出射面に偏光変換装置１６を配置したものに相当する。また、図５の構成と同様に、前記主ロッド部材１２Ｂは、各光入射面１２ａ，１２ａと前記光進入面１２ｃ，１２ｃ（図２参照）とがその縁を近接させている箇所に前記光入射面１２ｂと対面する平面形状の反射領域１２ｅ，１２ｅを有している。このような構成は図１の構成においても適用することができる。
【００３８】
図８にこの発明の照明装置５１の他の構成例を示す。この図８に示す照明装置５１は、主ロッド部材１２Ｂの光導入側において直方体形状を有し、この直方体形状の部分に続いてテーパ形状部分を有している。また、この主ロッド部材１２Ｂの光出射面に偏光変換装置１６を配置している。
【００３９】
図９は分割構成が採用された主ロッド部材１２Ｂを示した斜視図である。主ロッド部材１２Ｂは、二つの光進入面１２ｃ，１２ｃが交差する箇所を基準に当該主ロッド部材１２Ｂの側面に平行な面で分割された部材１２Ｂ−１と部材１２Ｂ−１とから成り、これら部材が透明接着剤（その屈折率は主ロッド部材１２Ｂの素材の屈折率と同等とするのがよい）にて貼り合わされた構造を有する。分割構成とする場合の分割箇所はその他に直方体形状部とテーパ形状形状部との境界部分などとすることもできる。
【００４０】
また、以上説明した例では、二つの光入射面１２ａ，１２ａを有するロッドインテグレータ１２を示したが、これに限らず、例えば、四つの光入射面１２ａ，１２ａを有するロッドインテグレータとすることもできる。この場合、光入射面や光進入面は三角形状となる。また、光導入部材１２Ａは二つの四角錐をその底面側で貼り合わされた形状を有することになる。
【００４１】
また、図１に示した３板型の投写型映像表示装置に限らず、単板型の投写型映像表示装置とすることもできる。例えば、図３に示す照明装置５１において（勿論、他の図の照明装置５１を用いることができる）、ＬＥＤ１１′として白色ＬＥＤを用いる。また、ロッドインテグレータ１４の光出射面側にカラーフィルタを備えた透過型の液晶表示パネルを配置する。白色光を出射するＬＥＤとしては、例えば、４つのＬＥＤチップ（例えば二つの緑色光チップと一つの赤色光チップと一つの青色光チップ）を備えて白色光を出射するものを用いることができる。また、このような複数色チップからなるＬＥＤを用いる場合には、単板型の時分割投写型映像表示装置を構成することもできる。例えば、前記４つのＬＥＤチップにおいて各色のチップを色ごとに時分割で点灯させる。そして、前記液晶表示パネルとしてはカラーフィルタを備えない構成を用い、前記時分割点灯に同期させて赤色映像信号と緑色映像信号と青色映像信号とを前記液晶表示パネルに供給する。
【００４２】
なお、以上の実施形態においては、光源として固体発光素を用いたが、これに限るものではなく、例えば、パラボラリフレクタや楕円リフレクタとランプとから成る光源を備えてもよい。また、ライトバルブは透過型の液晶表示パネルに限らず、反射型の液晶表示パネルや微小ミラーを多数配置して個々の微小ミラーを駆動するように構成されたライトバルブなども用いることができる。
【図面の簡単な説明】
【００４３】
【図１】この発明の実施形態のロッドインテグレータ及び照明装置及び投写型映像表示装置を示した説明図である。
【図２】図１の照明装置の一部の拡大図である。
【図３】この発明の照明装置の他の例を示した説明図である。
【図４】この発明の照明装置の他の例を示した説明図である。
【図５】この発明の照明装置の他の例を示した説明図である。
【図６】この発明の照明装置の他の例を示した説明図である。
【図７】この発明の照明装置の他の例を示した説明図である。
【図８】この発明の照明装置の他の例を示した説明図である。
【図９】分割構成が採用された主ロッド部の斜視図である。
【図１０】同図（ａ）（ｂ）（ｃ）はそれぞれ従来の従来の照明装置を示した説明図である。
【符号の説明】
【００４４】
１    液晶表示パネル
２    クロスダイクロイックプリズム
３    投写レンズ
１１  ＬＥＤ
１２  ロッドインテグレータ
１２Ａ    光導入部材
１２Ｂ    主ロッド部材
１３    偏光変換装置
１４    ロッドインテグレータ（第３のロッドインテグレータ）
１５    ロッドインテグレータ（第２のロッドインテグレータ）
１６    偏光変換装置
５１    照明装置
【図１】
2007101711.tif 000003
【図２】
2007101711.tif 000004
【図３】
2007101711.tif 000005
【図４】
2007101711.tif 000006
【図５】
2007101711.tif 000007
【図６】
2007101711.tif 000008
【図７】
2007101711.tif 000009
【図８】
2007101711.tif 000010
【図９】
2007101711.tif 000011
【図１０】
2007101711.tif 000012